(57)【特許請求の範囲】
【請求項１】
アース棒と、前記アース棒が固定されたベース板とを有するアース部と、
バッテリーと電気牧柵器とを内側に有する柱部とを備え、
前記ベース板の上に、前記柱部が着脱可能な状態で固定され、
前記電気牧柵器のアース端子が、前記アース棒と電気的に接続されることを特徴とする電気柵システムのワイヤの張架に使用される支柱。
【請求項２】
前記アース棒は、前記支柱の杭として使用されることを特徴とする請求項１に記載の支柱。
【請求項３】
前記アース部は、導電性や耐腐食性の高さが異なる複数種類の金属製棒を前記アース棒として有することを特徴とする請求項１に記載の支柱。
【請求項４】
前記柱部は、ネジを使って前記ベース部の上に着脱可能な状態で固定され、
前記アース端子は、前記ネジを使って前記アース部に固定され、電気的に接続されることを特徴とする請求項１に記載の支柱。
【請求項５】
前記柱部は、窓を有し、
前記窓を介して、前記バッテリー、前記電気牧柵器の操作が可能になるように、前記窓の大きさや位置が決定されることを特徴とする請求項１に記載の支柱。
【請求項６】
前記柱部は、太陽電池パネルを有し、
前記太陽電池パネルで得られた電気エネルギーに基づいて、前記バッテリーへの充電が行われることを特徴とする請求項１に記載の支柱。
【請求項７】
前記柱部は、特定の周波数の振動を発生させる振動発生装置を有し、前記振動を前記アース棒に伝達させることを特徴とする請求項１に記載の支柱。
【請求項８】
前記柱部は、側面または上面に黄色に光る照明部を有することを特徴とする請求項１に記載の支柱。
【請求項９】
アース棒と、
前記アース棒が固定されたベース板とを備え、
前記ベース板の上に、バッテリーと電気牧柵器とを内側に有する柱部が着脱可能な状態で固定され、
前記電気牧柵器のアース端子が、前記アース棒と電気的に接続されることを特徴とする電気柵システムのワイヤの張架に使用される支柱のアース部。
【発明の詳細な説明】
【技術分野】
【０００１】
本発明は、電気柵システムに使用される電気牧柵器に関し、特に電気柵システムに使用される支柱に内蔵するものに関する。
【背景技術】
【０００２】
野生動物の侵入または家畜の脱走を防止するための電気柵システムでは、高電圧の電流をワイヤに流すための電気牧柵器が用いられる。特許文献１は、太陽電池によって得られた電気エネルギーに基づいて駆動する電気牧柵器を開示する。
【先行技術文献】
【特許文献】
【０００３】
【特許文献１】実開昭６２−４７１００号公報
【発明の概要】
【発明が解決しようとする課題】
【０００４】
しかし、電気牧柵器、太陽電池などの発電機、バッテリーは、電気柵システムのワイヤを張架する支柱とは別体として設ける必要がある。これらは、通常屋外に設置されるため、それぞれの部材ごとに防水処置を施す必要がある。また、アース棒への配線、電気柵システムの支柱に張架されたワイヤへの配線など、電気牧柵器と離れた位置にある部材との間の電気的な配線が必要になる。
【０００５】
したがって本発明の目的は、電気柵システムで使用する電気牧柵器の配線を容易にする装置を提供することである。
【課題を解決するための手段】
【０００６】
本発明に係る電気柵システムのワイヤの張架に使用される支柱は、アース棒と、アース棒が固定されたベース板とを有するアース部と、バッテリーと電気牧柵器とを内側に有する柱部とを備え、ベース板の上に、柱部が着脱可能な状態で固定され、電気牧柵器のアース端子が、アース棒と電気的に接続される。
【０００７】
支柱にパワーボックス（電気牧柵器）などの電気部材を内蔵させるので、これらの部材の防水、盗難防止、いたずら防止などを用意に実現出来る。柱部に防水処置を施しておけば、内部に配置されるパワーボックスなどに別途防水処置などを施す必要が無いため、これらの部材の小型化、設計の簡素化に貢献出来る。小型化出来るため、通常、約１５０ｍｍ程度の直径の支柱の内部にこれらの電気部材を内蔵させることも可能になる。柱部においてバッテリーが配置される部分に断熱材を配置してバッテリーを被覆すれば、寒暖差によるバッテリーの劣化を防ぐことも可能になる。
【０００８】
アース棒は腐食による劣化があり、将来的には、取り替える必要性が生じる。本件発明では、アース部と柱部とが着脱可能な状態で固定されているので、劣化したアース部（またはアース棒だけ）を新しい部材に取り替えることが出来る。このため、経年劣化時の交換が容易に行えるメリットがある。
【０００９】
パワーボックス（電気牧柵器）などを内蔵させた柱部の下に、第１アース棒などが埋め込まれたアース部が配置されるため、ワイヤとの配線も、アース棒との配線も、パワーボックスと支柱とアース棒が別体で構成される形態に比べて容易に行えるメリットがある。
【００１０】
好ましくは、アース棒は、支柱の杭として使用される。
【００１１】
アース棒は９０ｃｍ〜２００ｃｍと、柱部と同等かそれ以上に長く、且つベース板に固定されるため、支柱の杭として使用出来る。
【００１２】
また、好ましくは、アース部は、導電性や耐腐食性の高さが異なる複数種類の金属製棒をアース棒として有する。
【００１３】
腐食すると、アース棒は、杭の役割を果たさなくなる可能性がある。このため、導電性は高いが腐食しやすい部材（耐腐食性の低い部材）で構成されたアース棒は、杭としての役割を果たさなくなる可能性があるが、腐食しにくい部材（耐腐食性の高い部材）で構成されたアース棒が、杭としての役割を果たし、支柱が立った状態を維持することが出来る。
【００１４】
また、好ましくは、柱部は、ネジを使ってベース部の上に着脱可能な状態で固定され、アース端子は、当該ネジを使ってアース部に固定され、電気的に接続される。
【００１５】
ネジにより、柱部とアース部との着脱と、アース端子のアース部への電気的な接続が行われるため、これらを別々に行う形態に比べて工事が簡単に行えるメリットがある。
【００１６】
また、好ましくは、柱部は、窓を有し、当該窓を介して、バッテリー、電気牧柵器の操作が可能になるように、窓の大きさや位置が決定される。
【００１７】
窓４１を介して、これらの電気部材の取り外しや、これらの電気部材のパラメータ調整及びオンオフ操作が出来るため、電気柵システムの設置後のメンテナンスが容易に出来る。
【００１８】
また、好ましくは、柱部は、太陽電池パネルを有し、太陽電池パネルで得られた電気エネルギーに基づいて、バッテリーへの充電が行われる。
【００１９】
また、好ましくは、柱部は、特定の周波数の振動を発生させる振動発生装置を有し、振動をアース棒に伝達させる。
【００２０】
特定の周波数の振動を発生させる振動発生装置を設け、かかる振動をアース部に伝達させると、地中に埋められたアース棒を介して、当該周波数の振動を地中に伝播させることが可能になる。これにより、特定の周波数（たとえば３００〜４００Ｈｚ）の振動がアース棒から地中に伝播されるため、かかる周波数帯域を嫌うモグラなどが近寄りにくくなるメリットが得られる。
【００２１】
また、好ましくは、柱部は、側面または上面に黄色に光る照明部を有することを特徴とする請求項１に記載の支柱。
【００２２】
照明部を柱部の側面または上面に設け、照明部を一定間隔ごと、もしくはランダムに点灯制御した場合、適当なタイミングで光を発することが可能になり、動物の忌避効果が得られる。特に、照明食を黄色にした場合には、カラスの忌避効果が得られる。
【００２３】
本発明に係る電気柵システムのワイヤの張架に使用される支柱のアース部は、アース棒と、アース棒が固定されたベース板とを備え、ベース板の上に、バッテリーと電気牧柵器とを内側に有する柱部が着脱可能な状態で固定され、電気牧柵器のアース端子が、アース棒と電気的に接続される。
【発明の効果】
【００２４】
以上のように本発明によれば、電気柵システムで使用する電気牧柵器の配線を容易にする装置を提供することができる。
【図面の簡単な説明】
【００２５】
【図１】本実施形態における支柱と支柱に架け渡されたワイヤの斜視図である。
【図２】アース部の斜視図である。
【図３】アース部と、下筒部と、上筒部の下部の斜視図である。
【図４】取り付け前における、アース部と、柱部の内部の構成を示す図である。
【図５】取り付け後における、アース部と、柱部の内部の構成を示す図である。
【図６】図５の形態に、オーディオ装置とスピーカーとを加えた形態における、アース部と柱部の内部の構成を示す図である。
【発明を実施するための形態】
【００２６】
以下、本発明にかかる実施形態について、図を用いて説明する。本実施形態における支柱１は、アース部１０と、柱部３０とを備え、電気柵システムに使用される杭の１つに使用される。他の杭は、通常、電気柵システムに使用される物が使用される。支柱１は、電気柵システムにおける高電圧を発生させるための装置（発電装置、電源、電気牧柵器）を内蔵し、杭の一部をアース棒と兼用する。
【００２７】
なお、図３は、柱部３０の内部の電気部材（例えば、バッテリー３６）を省略している。また、図４、図５は、アース部１０と柱部３０との内部の接続状態を示すため、一部の部材（第４ネジ止め板１３ｄなど）を省略している。
【００２８】
アース部１０の構成について説明する。アース部１０は、ベース板１１、第１〜第４ネジ止め板１３ａ〜１３ｄ、第１〜第４ネジ孔１４ａ〜１４ｄ、第１アース棒１５ａ、第２アース棒１５ｂ、第１杭１７ａ、第２杭１７ｂ、第１〜第４圧着部１８ａ〜１８ｄを有する。但し、図２において、第３圧着部１８ｃは、第３ネジ止め板１３ｃに隠れて見えない位置にある。
【００２９】
ベース板１１は、円盤状で且つ導電性の金属部材であり、上に柱部３０が固定され、下に第１アース棒１５ａなどが固定される。
【００３０】
第１〜第４ネジ止め板１３ａ〜１３ｄは、ベース板１１の上に固定された導電性の金属部材で、ベース板１１に垂直な面に、第１〜第４ネジ孔１４ａ〜１４ｄが設けられる。第１〜第４ネジ止め板１３ａ〜１３ｄは、ベース板１１の上に柱部３０を載置した時に、下筒部３１ｂの内壁面と接触する位置関係になるように、ベース板１１の上に配置される。
【００３１】
第１、第２アース棒１５ａ、１５ｂは、ベース板１１の下に固定された導電性の金属部材で、地中に埋め込まれる。第１、第２アース棒１５ａ、１５ｂのベース板１１への固定は、第１、第３圧着部１８ａ、１８ｃを介して、圧着などにより行われる。第１、第２アース棒１５ａ、１５ｂは、導電性の高い銅で構成されるのが望ましいが、電気を通す金属部材であれば他の部材であってもよい。第１、第２アース棒１５ａ、１５ｂは、アース棒としての役割の他、支柱１を地面に固定するための杭の役割も果たす。
【００３２】
第１、第２杭１７ａ、１７ｂは、ベース板１１の下に固定された導電性の金属部材で、地中に埋め込まれる。第１、第２杭１７ａ、１７ｂのベース板１１への固定は、第２、第４圧着部１８ｂ、１８ｄを介して、圧着などにより行われる。第１、第２杭１７ａ、１７ｂは、ステンレスなど腐食に強い部材であることが望ましい。第１、第２杭１７ａ、１７ｂも電気を通すため、支柱１を地面に固定するための杭の役割の他、アース棒としての役割も果たす。
【００３３】
第１アース棒１５ａ、第２アース棒１５ｂ、第１杭１７ａ、第２杭１７ｂはいずれも９０ｃｍ〜２００ｃｍ程度の長さを有する。
【００３４】
柱部３０の構成について説明する。柱部３０は、上筒部３１ａ、下筒部３１ｂ、嵌合部３２、太陽電池パネル３３、第５〜第８ネジ孔３４ａ〜３４ｄ、チャージコントローラ３５、バッテリー３６、パワーボックス３７、アース端子３８、ガイシ３９、窓４１、第１電力線４３、第２電力線４４、クリップ４５を有する。
【００３５】
上筒部３１ａは、樹脂製の筒状部材、下筒部３１ｂは、導電性金属材料の筒状部材で、嵌合部３２を介して、上筒部３１ａと下筒部３１ｂとが接続される。上筒部３１ａ、下筒部３１ｂは、通常の電気柵システムに使用される支柱と同じように、約１５０ｍｍの外径を有する。ただし、これ以上の太さの外径であってもよい。
【００３６】
太陽電池パネル３３は、太陽光などによる光エネルギーを電気エネルギーに変換する発電装置で、上筒部３１ａの上面に設けられる。図１では、太陽電池パネル３３が、上筒部３１ａの上面の内側に収められている形態を説明するが、電気柵システムで必要とされる電力に応じて、該上面からはみ出した大きさの太陽電池パネル３３が設けられる形態であってもよい。
【００３７】
第５〜第８ネジ孔３４ａ〜３４ｄは、ベース板１１の上に柱部３０を載置した時に、第１〜第４ネジ孔１４ａ〜１４ｄと対向するように、下筒部３１ｂの壁面に設けられる。
【００３８】
チャージコントローラ３５は、太陽電池パネル３３からバッテリー３６への過充電を防止するものである。なお、チャージコントローラ３５に代え、バッテリー３６に充電された電気が太陽電池パネル３３に流れる逆流現象を防止するブロッキングダイオードが設けられる形態であってもよい。
【００３９】
パワーボックス３７は、バッテリー３６からの供給される電力に基づき、高電圧の電流をワイヤに流させる電気牧柵器（衝撃電圧発生機構）である。パワーボックス３７の陽極端子からの第１電力線４３は、上筒部３１ａの壁面に設けられたガイシ３９を介して、柱部３０の外側に架け渡され、クリップ４５を使って、ワイヤと電気的に接続される（図５参照）。パワーボックス３７の陰極端子からの第２電力線４４は、リング形状またはクワ型形状のアース端子３８と接続される。
【００４０】
バッテリー３６は、太陽電池パネル３３で発電された電力を貯める蓄電池で、パワーボックス３７の駆動に使用される。チャージコントローラ３５、パワーボックス３７、バッテリー３６は、上筒部３１ａまたは下筒部３１ｂの内側に配置される。
【００４１】
上筒部３１ａに設けられた窓４１（図１参照）は開閉可能で、窓４１を介して、チャージコントローラ３５、バッテリー３６、パワーボックス３７の交換やこれらの機器のパラメータ調整、オンオフ操作などが出来るように、窓４１の大きさや位置が設定される。
【００４２】
ガイシ３９は、上筒部３１ａの壁面に設けられ、パワーボックス３７の陽極部から架け渡された第１電力線４３と上筒部３１ａの壁面との間の絶縁に用いられる。
【００４３】
次に、支柱１の設置について説明する。第１アース棒１５ａ、第２アース棒１５ｂ、第１杭１７ａ、第２杭１７ｂを地中に埋めて、アース部１０を地面に固定する。電気柵システムのワイヤが周囲を囲む形態の場合には、どの支柱の代わりに本実施形態の支柱１を用いても構わないが、電気柵システムのワイヤが１周しない形態の場合には、パワーボックス３７の電気的な負担を軽減するために、当該略直線形状の中心近傍に使用される支柱に、本実施形態の支柱１を用いるのが望ましい。
【００４４】
第１アース棒１５ａ、第２アース棒１５ｂ、第１杭１７ａ、第２杭１７ｂと、ベース板１１とは、第１アース棒１５ａなどを地中に埋める前に圧着で固定した形態でも良いし、第１アース棒１５ａなどを地中に埋めた後に、圧着で固定する形態であってもよい。
【００４５】
地面に固定されたアース部１０の上に、柱部３０を載置し、第１〜第４ネジ５０ａ〜５０ｄを使って、柱部３０をアース部１０に固定する。
【００４６】
具体的には、アース部１０の第１ネジ孔１４ａと下筒部３１ｂの第５ネジ孔３４ａとが第１ネジ５０ａを使ってネジ止めされ、アース部１０の第２ネジ孔１４ｂと下筒部３１ｂの第６ネジ孔３４ｂとが第２ネジ５０ｂ（不図示）を使ってネジ止めされ、アース部１０の第３ネジ孔１４ｃと下筒部３１ｂの第７ネジ孔３４ｃとアース端子３８とが第３ネジ５０ｃを使ってネジ止めされ、アース部１０の第４ネジ孔１４ｄと下筒部３１ｂの第８ネジ孔３４ｄとが第４ネジ５０ｄ（不図示）を使ってネジ止めされる。アース端子３８がネジ止めされる個所は、第３ネジ孔１４ｃに限られる訳ではなく、他のネジ孔であってもよい。
【００４７】
電気柵システムに使用する他の支柱の設置、当該ネジ止め、及び電気柵システムに使用するワイヤの張架の後、第１電力線４３は、クリップ４５を使って、ワイヤと電気的に接続される。
【００４８】
ネジ止めにより、アース端子３８と電気的に接続された第１アース棒１５ａ、第２アース棒１５ｂ、第１杭１７ａ、第２杭１７ｂが、アース棒として機能する。電気柵システムがオン状態で、ワイヤに接触した動物には、ワイヤ、支柱１、地中を介して、パワーボックス３７で発生させた高圧電流が流れ、感電する。
【００４９】
本実施形態では、支柱１にパワーボックス３７などの電気部材を内蔵させるので、これらの部材の防水、盗難防止、いたずら防止などを用意に実現出来る。柱部３０に防水処置を施しておけば、内部に配置されるパワーボックス３７などに別途防水処置などを施す必要が無いため、これらの部材の小型化、設計の簡素化に貢献出来る。小型化出来るため、通常、約１５０ｍｍ程度の直径の支柱の内部にこれらの電気部材を内蔵させることも可能になる。柱部３０においてバッテリー３５が配置される部分に断熱材を配置してバッテリー３５を被覆すれば、寒暖差によるバッテリー３５の劣化を防ぐことも可能になる。
【００５０】
アース棒は９０ｃｍ〜２００ｃｍと、柱部と同等かそれ以上に長く、且つベース板に固定されるため、支柱の杭として使用出来る。
【００５１】
パワーボックス３７などを内蔵させた柱部３０の下に、第１アース棒１５ａなどが埋め込まれたアース部１０が配置されるため、第１電力線４３とワイヤとの配線も、第２電力線４４と第１アース棒１５ａなどとの配線も、パワーボックスと支柱とアース棒が別体で構成される形態に比べて容易に行えるメリットがある。
【００５２】
アース棒は腐食による劣化があり、将来的には、取り替える必要性が生じる。本実施形態では、アース部１０と柱部３０とのネジ止めを外し、劣化したアース部１０を新しいアース部１０に取り替えることが出来るので、経年劣化時の交換が容易に行えるメリットがある。
【００５３】
また、ネジ（第１〜第４ネジ５０ａ〜５０ｄ）により、柱部３０とアース部１０との着脱と、アース端子３８のアース部１０への電気的な接続が行われるため、これらを別々に行う形態に比べて工事が簡単に行えるメリットがある。
【００５４】
また、窓４１を介して、これらの電気部材の取り外しや、これらの電気部材のパラメータ調整及びオンオフ操作が出来るため、電気柵システムの設置後のメンテナンスが容易に出来る。
【００５５】
また、アース部１０を取り替える形態に代えて、第１、第３圧着部１８ａ、１８ｃに設けた孔を介して、新しい第１アース棒１５ａ、第２アース棒１５ｂを上から地中に向けて打ち込み、第１アース棒１５ａを第１圧着部１８ａと圧着させ、第２アース棒１５ｂを第３圧着部１８ｃに圧着させる形態であってもよい。
【００５６】
腐食すると、アース棒は、杭の役割を果たさなくなる可能性がある。このため、導電性は高いが腐食しやすい部材（耐腐食性の低い部材）で構成されたアース棒（第１、第２アース棒１５ａ、１５ｂ）は、杭としての役割を果たさなくなる可能性があるが、腐食しにくい部材（耐腐食性の高い部材）で構成されたアース棒（第１、第２杭１７ａ、１７ｂ）が、杭としての役割を果たし、支柱が立った状態を維持することが出来る。
【００５７】
また、本実施形態では、柱部３０の外側部分の筐体が、樹脂製の上筒部３１ａと、金属製の下筒部３１ｂとで構成される形態を説明した。これにより、下筒部３１ｂはアース端子３８やアース部１０と電気的に接触することになり、アース部材として機能させることが可能になるが、かかる筐体が一体的に樹脂製で構成される形態であってもよい。この場合は、アース部材として機能はしないが、アース端子３８とアース部１０とはネジを介して電気的に接続されているので、第１アース棒１５ａなどのアース部材としての機能は確保出来る。
【００５８】
また、他の実施形態として、特定の周波数の振動を発生させる振動発生装置を設け、かかる振動をアース部１０に伝達させると、地中に埋められた第１アース棒１５ａなどを介して、当該周波数の振動を地中に伝播させることが可能になる。具体的には、振動発生装置として、特定の周波数（３００〜４００Ｈｚ）を出力するオーディオ装置４８と、スピーカー４９を設け、スピーカー４９をアース端子３８に接触させる（図６参照）。なお、図６は、第２ネジ止め板１３ｂ、第２ネジ孔１４ｂ、第２ネジ５０ｂを省略している。
【００５９】
これにより、３００〜４００Ｈｚの周波数の振動が第１アース棒１５ａなどから地中に伝播されるため、かかる周波数帯域を嫌うモグラなどが近寄りにくくなるメリットが得られる。なお、振動を発生する装置としてオーディオ装置４８とスピーカー４９とを使った形態を説明したが、振動子など他の装置を使って特定の周波数の振動を発生させる形態であってもよい。
【００６０】
また、照明部５１を上筒部３１ａの側面または上面に設け、照明部５１を一定間隔ごと、もしくはランダムに点灯制御する照明コントローラ５２を設ける（図６参照）ことにより、適当なタイミングで光を発することが可能になり、動物の忌避効果が得られる。特に、照明食を黄色にした場合には、カラスの忌避効果が得られる。
【００６１】
なお、本実施形態では、４本のアース棒（第１アース棒１５ａ、第２アース棒１５ｂ、第１杭１７ａ、第２杭１７ｂ）を使ったものを説明するが、アース棒の数はこれに限定されるものではない。ただし、本実施形態のように、導電性や耐腐食性の高さが異なる複数種類の金属製棒をアース棒として使用すると、一方を主に支柱が立つ状態を維持する杭として使用し、他方を主にアースを確実に行うものとして使用することが出来る。また、ベース板１１の下に固定されるアース棒の他に、アース部１０から離れた位置に別途アース棒を設けて、アース効果を高める形態であってもよい。
【符号の説明】
【００６２】
１  支柱
１０  アース部
１１  ベース板
１３ａ〜１３ｄ  第１〜第４ネジ止め板
１４ａ〜１４ｄ  第１〜第４ネジ孔
１５ａ、１５ｂ  第１、第２アース棒
１７ａ、１７ｂ  第１、第２杭
１８ａ〜１８ｄ  第１〜第４圧着部
３０  柱部
３１ａ  上筒部
３１ｂ  下筒部
３２  嵌合部
３３  太陽電池パネル
３４ａ〜３４ｄ  第５〜第８ネジ孔
３５  チャージコントローラ
３６  バッテリー
３７  パワーボックス
３８  アース端子
３９  ガイシ
４１  窓
４３、４４  第１、第２電力線
４５  クリップ
４８  オーディオ装置
４９  スピーカー
５１  照明部
５２  照明コントローラ
５０ａ〜５０ｄ  第１〜第４ネジ
【図１】
0005415350.tif 000002
【図２】
0005415350.tif 000003
【図３】
0005415350.tif 000004
【図４】
0005415350.tif 000005
【図５】
0005415350.tif 000006
【図６】
0005415350.tif 000007